(57)【要約】【課題】  むだ毛を従来よりも均一に処理することができる除毛パッドを提供しようとするもの。【解決手段】  軟質材により形成された体毛の処理面１が凸状に隆起していると共に、前記処理面１は体毛を摩滅するための研磨剤２を含有する。この除毛パッドは、軟質材により形成され体毛の処理面が凸状に隆起しているので、従来の紙やすりタイプの除毛商品（平面なのでほぼ一点のみで体に当たる）に比べて、体表面の起伏・凹凸によりフィットし追随して変形可能である。【選択図】  図１
2005224389.tif 000002
【特許請求の範囲】
【請求項１】
軟質材により形成された体毛の処理面１が凸状に隆起していると共に、前記処理面１は体毛を摩滅するための研磨剤２を含有することを特徴とする除毛パッド。
【請求項２】
前記処理面１には研磨剤２が配設された多数の突状部３が突出形成されている請求項１記載の除毛パッド。
【請求項３】
前記体毛の処理面１が硬質材により形成された保持部４に固定されると共に、前記保持部４には指の間に挟むための把持部５が突設された請求項１又は２記載の除毛パッド。
【請求項４】
前記把持部５は前記保持部４の端部近傍に配設され、その頂部には指の抜け止め用のフランジ部６が形成された請求項３記載の除毛パッド。
【発明の詳細な説明】
【技術分野】
【０００１】
この発明は、手足に生えているむだ毛などの体毛を処理する除毛パッドに関するものである。
【背景技術】
【０００２】
従来より、特に女性の間では手足に生えているむだ毛などの体毛を処理することが行われている。
【０００３】
この処理方法として、脱毛クリームを塗って拭き取ったり、脱毛テープを貼り付けて引き剥がしたり、安全剃刀や電気シェーバーで剃ったり、毛抜きで引き抜いたりすることが行われている。
【０００４】
ところが、脱毛クリームを塗ると毛だけでなく皮膚にもダメージを与えてしまうことがあり、脱毛テープを貼り付けて引き剥がすのは複数本の毛を一緒に引き抜くのでかなり痛いものであり、安全剃刀や電気シェーバーで剃るとより太くなった毛が後から生えてきて逆効果となり、毛抜きで引き抜くと血がでて痛い思いをすることがあった。
【０００５】
一方、図５に示すように、表面に紙やすり51が貼着されたスポンジ製品52とし、前記紙やすり51の面でむだ毛の部分を擦ることにより摩滅していこうというものがあった。（例えば、非特許文献１参照）。
【０００６】
しかし、紙やすり51の面でむだ毛の部分を擦ってもなかなか均一に摩滅処理することができないという問題があった。
【非特許文献１】株式会社バイソン  ホームページ、“ケナッシー”、[online]、[2004/2/5検索]、インターネット＜ＵＲＬ：http://www.bison.co.jp/pro/kenassy.html＞
【発明の開示】
【発明が解決しようとする課題】
【０００７】
そこでこの発明は、むだ毛を従来よりも均一に処理することができる除毛パッドを提供しようとするものである。
【課題を解決するための手段】
【０００８】
前記課題を解決するためこの発明では次のような技術的手段を講じている。
(１)この発明の除毛パッドは、軟質材により形成された体毛の処理面が凸状に隆起していると共に、前記処理面は体毛を摩滅するための研磨剤を含有することを特徴とする。
【０００９】
この除毛パッドは、軟質材により形成され体毛の処理面が凸状に隆起しているので、従来の紙やすりタイプの除毛商品（平面なのでほぼ一点のみで体に当たる）に比べて、体表面の起伏・凹凸によりフィットし追随して変形可能である。
【００１０】
また、前記処理面はむだ毛などの体毛を摩滅するための研磨剤を含有しており、肌の上で小さな円を描くようにクルクル回すだけで肌表面のむだ毛を擦りながら薄くしていくことができる。
【００１１】
前記軟質材として、シリコン樹脂やポリエチレン樹脂、ナイロン樹脂、ポリプロピレン樹脂などの軟質合成樹脂、シリコンエラストマー、シリコンゴム、スチレンゴム、二トリルゴム、アクリルゴム、エチレン酢酸ビニルゴムなどのゴム系のもの、スポンジなどを用いることができる。
【００１２】
(２) 前記処理面には研磨剤が配設された多数の突状部が突出形成されていることとしてもよい。
【００１３】
このように構成すると、研磨剤が配設され処理面に突出形成された多数の突状部により体毛の摩滅効率がより高いものとなる。
【００１４】
ここで、前記突状部の形状は円形でも楕円形でも四角形でもよく、その大きさに大小が混在していてもよい。また、前記突状部は処理面と一体的に形成してもよいし、処理面に対して別体として貼付してもよい。
【００１５】
(３) 前記体毛の処理面が硬質材により形成された保持部に固定されると共に、前記保持部には指の間に挟むための把持部が突設されたこととしてもよい。
【００１６】
このように構成すると、硬質材により形成された保持部に突設された把持部により掴みやすいものとなるので、むだ毛を処理する際にその場所や太さや密度に応じて微妙な力の入れ具合の調整や加減を行いやすい。
【００１７】
ここで、体毛の処理面とその保持部とは一体的に形成してもよいが、別体として形成することもできる。例えば、前記体毛の処理面の周辺域が、前記保持部に嵌入せしめられたこととすることができる。
【００１８】
(４) 前記把持部は前記保持部の端部近傍に配設され、その頂部には指の抜け止め用のフランジ部が形成されたこととしてもよい。
【００１９】
このように構成すると、使用時の上方への指の抜けを有効に防止することができる。
【発明の効果】
【００２０】
この発明は上述のような構成であり、次の効果を有する。
【００２１】
体表面の起伏・凹凸によりフィットし追随して変形可能であるので、むだ毛を従来よりも均一に処理することができる除毛パッドを提供することができる。
【発明を実施するための最良の形態】
【００２２】
以下、この発明の実施の形態を図面を参照して説明する。
【００２３】
図１乃至図３に示すように、この実施形態の除毛パッドは、軟質材により形成された体毛の処理面１が凸状に隆起していると共に、前記処理面１は体毛を摩滅するための研磨剤２を含有する。
【００２４】
前記軟質材として柔らかいシリコン樹脂を用いたが、ポリエチレン樹脂、ナイロン樹脂、ポリプロピレン樹脂などの軟質合成樹脂、シリコンエラストマー、シリコンゴム、スチレンゴム、二トリルゴム、アクリルゴム、エチレン酢酸ビニルゴムなどのゴム系のもの、スポンジなどを用いることができる。また、前記研磨剤２としてシリカなどを用いることができる。
【００２５】
図１に示すように、前記処理面１には、研磨剤２が配設された多数のイボ状の突状部３が突出形成されている。前記突状部３の形状は円形としたが楕円形でも四角形でもよく、その大きさに大小が混在していてもよい。また、前記突状部３は処理面１と一体的に形成したが、処理面１に対して別体として貼付してもよい。
【００２６】
この体毛の処理面１は、次のようにして製造することができる。すなわち成型用の金型（図示せず）で、除毛パッドの多数のイボ状の突状部３に対応する形状の金型内の複数の凹部にそれぞれ予め研磨剤２を供給する。そして、金型を閉塞しシリコン樹脂を流し込んで固化させる。このようにして製造すると、成型するシリコン樹脂自体に研磨剤２を練り込んでおく場合と比較して、研磨剤２により金型をいためにくいという利点がある。
【００２７】
図２に示すように、前記体毛の処理面１は、硬質材により形成された保持部４に固定されている。体毛の処理面１とその保持部４とは、別体として形成している。具体的には、前記体毛の処理面１の周辺域が、前記保持部４に嵌入せしめられたこととしている。なお、体毛の処理面１とその保持部４とは一体的に形成してもよい。
【００２８】
そして、前記保持部４には指の間に挟むための把持部５が突設されたこととしている。前記把持部５は前記保持部４の端部近傍に配設され、その頂部には指の抜け止め用のフランジ部６が形成されたこととしている。
【００２９】
次に、この実施形態の除毛パッドの使用状態を説明する。
【００３０】
図１に示すように、この除毛パッドは、処理面１はむだ毛などの体毛を摩滅するための研磨剤２を含有しており、図３に示すように、肌の上で小さな円を描くようにクルクル回すだけで肌表面のむだ毛を擦りながら薄くしていくことができ、むだ毛自体を削り絡め取ってしまう。水を濡らした状態で使用できるため、風呂場などの水場で使用することができ衛生的である。
【００３１】
そして、この除毛パッドは、軟質材により形成され体毛の処理面１が凸状に隆起しているので、従来の紙やすりタイプの除毛商品（平面なのでほぼ一点のみで体に当たる）に比べて、体表面の起伏・凹凸によりフィットし追随して変形可能であり、むだ毛を従来よりも均一に処理することができるという利点がある。
【００３２】
また図１に示すように、前記処理面１には研磨剤２が配設された多数の突状部３が突出形成されており、研磨剤２が配設され処理面１に突出形成された多数の突状部３により体毛の摩滅効率がより高いものとなるという利点がある。
【００３３】
図２及び図３に示すように、前記体毛の処理面１が硬質材により形成された保持部４に固定されると共に、前記保持部４には指の間に挟むための把持部５が突設されたこととしており、硬質材により形成された保持部４に突設された把持部５により掴みやすいものとなるので、むだ毛を処理する際にその場所や太さや密度に応じて微妙な力の入れ具合の調整や加減を行いやすいという利点がある。
【００３４】
そのうえ前記把持部５は前記保持部４の端部近傍に配設され、その頂部には指の抜け止め用のフランジ部６が形成されたこととしており、使用時の上方への指の抜けを有効に防止することができるという利点がある。
【００３５】
また他の実施形態として、図４に示すように、特にイボ状の突状部３を形成することなく凸状に隆起した処理面１の全面に研磨剤２を含有させるようにすることもできる。この場合、シリコン樹脂に予め研磨剤２を混ぜ込んでブレンドしておいてから金型で成型する。
【産業上の利用可能性】
【００３６】
体表面の起伏・凹凸によりフィットし追随して変形可能であるので、むだ毛を従来よりも均一に処理することができ、むだ毛など体毛の除毛の用途に好適に適用することができる。
【図面の簡単な説明】
【００３７】
【図１】この発明の除毛パッドの実施形態を説明する処理面側から見た斜視図。
【図２】図１の除毛パッドを保持部側から見た斜視図。
【図３】図１の除毛パッドの使用状態を説明する斜視図。
【図４】この発明の除毛パッドの他の実施形態を説明する斜視図。
【図５】従来の除毛製品を説明する斜視図。
【符号の説明】
【００３８】
１  体毛の処理面
２  研磨剤
３  突状部
４  保持部
５  把持部
６  フランジ部
【図１】
2005224389.tif 000003
【図２】
2005224389.tif 000004
【図３】
2005224389.tif 000005
【図４】
2005224389.tif 000006
【図５】
2005224389.tif 000007